(57)【特許請求の範囲】
【請求項１】
浴室テントと浴槽と個別給水栓を備えた仮設風呂設備であって、
水の浄化装置と、複数の給湯器を備え、
前記浄化装置には、入側として、前記浴槽中の水を戻し入れる浴槽水導入ラインが設けられると共に、出側として、浄化された水を導出する浄水導出ラインが設けられ、
前記複数の給湯器のうちの一部の給湯器には、入側として、系外から供給される浄化水を導入する浄化水導入ラインと前記浄水導出ラインが切替可能に接続されると共に、出側として、前記浴槽中に温湯を供給する第１の給湯ラインが接続され、
残りの給湯器には、入側として、系外から供給される浄化水を導入する浄化水導入ラインが接続されると共に、出側として、前記浴槽或いは前記個別給水栓に温湯を切替可能に供給する第２の給湯ラインが接続されたものであることを特徴とする仮設用浄水風呂設備。
【請求項２】
前記浴室テントの床面に連なって床面上の湯を排出するＵ字溝が、シート材をもって構成されたものである請求項１に記載の仮設用浄水風呂設備。
【請求項３】
前記浄化装置並びに前記複数の給湯器は、それぞれ高さが１６００ｍｍ以下、長さが２８００ｍｍ以下、幅が１６００ｍｍ以下、質量が１５００ｋｇ以下である請求項１または２に記載の仮設用浄水風呂設備。
【請求項４】
前記浄化水導入ラインの上流側に、限外濾過部が接続され、この更に上流側に砂濾過部が接続されている請求項１〜３のいずれか１項に記載の仮設用浄水風呂設備。
【請求項５】
前記限外濾過部及び前記砂濾過部には、それぞれ逆洗用水導入ラインと殺菌剤注入ラインが接続されている請求項４に記載の仮設用浄水風呂設備。
【発明の詳細な説明】
【技術分野】
【０００１】
本発明は、地震等の災害を受けた被災者やキャンプをする者に仮設の浴場を提供するための仮設用浄水風呂設備に関するものである。
【背景技術】
【０００２】
地震などの大規模災害が起きたときには、水道等のインフラ設備（インフラストラクチャー設備）が損傷しているため、一般家庭での入浴は困難となる。またインフラ設備のない（或いは乏しい）地域でキャンプする場合も、入浴することは困難となる。そこで仮設の風呂設備を当該地域に搬送、設置することが提案されている。
【０００３】
仮設の風呂設備としては、例えば特許文献１に、木やプラスチック製の側壁部及び天井部と床部を蝶番で連接することにより組立自在とした容器を構成し、この中に浴槽を備え付けたものが提案されている。またこれに濾過機能を備えた給水装置、使用後の排水を浄化する浄化設備、更に追い炊き機能を備えることも示されている。
【０００４】
また特許文献２には、２台のボイラーを備えた給湯器を移動可能な台車に搭載した野外入浴シャワー車が開示され、給湯器にシャワースタンドを接続したり、給湯器から浴槽に給湯することが示されている。
【特許文献１】特開平１１−７６０８８号公報
【特許文献２】特開２００１−１０４００号公報
【発明の開示】
【発明が解決しようとする課題】
【０００５】
ところで震災等の場合には多人数が入浴できる設備が望まれるところ、多人数が一度に使用可能とするには設備を大きくする必要があり、この設備を運ぶための車輌等も大型のものが必要となる。
【０００６】
また風呂の使用にあたっては、浴槽の水が入浴により汚れることから一般に掛け流しとされるが、被災地等では水が極めて貴重であるので、斯様な使用状態は好ましくない。そこで、濾過器を備えた循環式風呂にすることが考えられるが、新たに濾過器が必要となるため、更に仮設風呂設備が大型化し、搬送車輌等もより大きいものが必要となる。
【０００７】
一方、被災地等に仮設の風呂設備を運ぶにあたっては、汎用性の観点等から、特別に大型のものを準備するよりも、救援物資等を運ぶための既存のヘリコプター等の輸送機や輸送車輌を利用できる方が望ましい。
【０００８】
そこで本発明は上記事情に着目してなされたものであって、その目的は、多人数用でありながらも比較的コンパクトに構成され、濾過機能も備えた仮設用浄水風呂設備を提供することにある。
【課題を解決するための手段】
【０００９】
風呂設備を稼動するにあたっての条件としては、(1)浴槽への湯張り時は給湯器に高い給湯能力が求められること、(2)人が入浴している間は浴槽への給湯と、シャワー等の個別給水栓への給湯との両方が必要であること、(3)湯を循環利用するにあたっては浴槽の湯（水）を浄化し、追い炊きして供給する必要があることが挙げられる。
【００１０】
ところで人が入浴使用している間は浴槽への給湯量は少なくて済む。また浴槽の湯のみを循環させるのであれば、これを追い炊きする給湯器や、浄化する浄水機は比較的小型のもので済む。加えて、湯の使用容量に応じた１台の大型給湯器の場合では、サイズが大きすぎるために一般的な輸送用ヘリコプター等に積載できないが、小型の給湯器等を複数組み合わせた場合には、組合せ配置を工夫することで積層可能であり、且つこの複数の小型の給湯器により上記湯の使用容量を確保できる。
【００１１】
本発明者らはこれらの点に着目し、下記の本発明を完成した。なお、以下では本発明の理解を容易にする為に後述の図面で用いた符号を適宜付して説明するが、本発明は図示例に限定されるものではなく、また符号により発明特定事項が特定されるものでもない。
【００１２】
本発明に係る仮設用浄水風呂設備は、浴室テントと浴槽１１と個別給水栓１２を備えた仮設風呂設備であって、水の浄化装置１４と、複数の給湯器１５（１５ａ，１５ｂ，１５ｃ）を備え、前記浄化装置１４には、入側として、前記浴槽１１中の水を戻し入れる浴槽水導入ライン１６が設けられると共に、出側として、浄化された水を導出する浄水導出ライン１７が設けられ、前記複数の給湯器のうちの一部の給湯器１５ａには、入側として、系外から供給される浄化水を導入する浄化水導入ライン１９ａと前記浄水導出ライン１７が切替可能に接続されると共に、出側として、前記浴槽１１中に温湯を供給する第１の給湯ライン１８が接続され、残りの給湯器１５ｂ，１５ｃには、入側として、系外から供給される浄化水を導入する浄化水導入ライン１９ｂ，１９ｃが接続されると共に、出側として、前記浴槽１１或いは前記個別給水栓１２に温湯を切替可能に供給する第２の給湯ライン２１が接続されたものであることを特徴とする。
【００１３】
上記の様に本発明では給湯器を複数設け、このうちの一部の給湯器についてのみ浴槽の水を浄化循環する循環ループに組み込み、残りの給湯器については個別給水栓側に給湯するか、或いは湯張り時に浴槽への給湯に用いる。この様に給湯器を複数としてそれぞれに役割分担させることで、風呂の稼動条件を確保しつつ、個々の給湯器や浄水機の小型化を図ることができ、その結果、汎用の輸送機等での輸送が可能となる。
【００１４】
なお、上記「一部の給湯器」の台数、上記「残りの給湯器」の台数に関しては、単数或いは複数のいずれであっても良い。因みに複数備える場合には、これらを並列に接続することとなる。
【００１５】
また、上記給湯器１５ａ，１５ｂ，１５ｃにそれぞれ接続される上記浄化水導入ライン１９ａ，１９ｂ，１９ｃとしては、上記系外から供給される浄化水を当該系外から１本の浄化水導入ライン１９で導き、これを分岐させて上記複数の給湯器１５ａ，１５ｂ，１５ｃのそれぞれに導入するようにしても良いし、或いは当該系外からそれぞれ別の浄化水導入ラインで給湯器１５ａ，１５ｂ，１５ｃに導入するようにしても良い。
【００１６】
更に本発明に係る仮設用浄水風呂設備において、前記浄化装置１４並びに前記複数の給湯器１５は、それぞれ高さが１６００ｍｍ以下、長さが２８００ｍｍ以下、幅が１６００ｍｍ以下、質量が１５００ｋｇ以下であることが好ましい。
【００１７】
一般的な輸送ヘリコプターとして、例えば荷室の高さ１９４０ｍｍ、幅２４００ｍｍ、長さ８０００ｍｍのものが知られているところ、浄化装置１４や給湯器１５が上記の様なサイズ，質量であれば、これを上記輸送ヘリコプターに搭載することができる。例えば１台の浄化装置と３台の給湯器を組み合わせた仮設用浄水風呂設備の場合では、上記輸送ヘリコプター２機で輸送できる。また斯様なサイズの給湯器３台を使用すれば例えば１時間あたり３０〜４０人程の多人数の入浴が可能である。
【００１８】
また本発明に係る仮設用浄水風呂設備においては、前記浴室テントの床面に連なって床面上の湯を排出するＵ字溝が、シート材をもって構成されたものであることが好ましい。
【００１９】
更にこのＵ字溝を備えた風呂設備において、前記浴室テントを構成するシートの壁面（壁面シート２２）の下方部が、Ｕ字溝状に折り返されると共に、該Ｕ字溝２７の底２７cが前記浴室テント内の浴室の床面よりも低く位置し、前記Ｕ字溝２７を構成するシートの浴室内側の溝壁２３に、前記床面高さに合わせた排水口２５が形成されてなることがより好ましい（例えば図３，４参照）。
【００２０】
或いはこのＵ字溝を備えた風呂設備において、前記浴室テントを構成するシートのうちの壁面シート２２が、その下方部分において複数に分離したものであり、この複数の壁面シート２２のうちの１つのシート２２ｃが床面シート２６に連通してＵ字溝２７を構成し、このＵ字溝２７の底２７cが前記浴室テント内の浴室の床面よりも低く位置してなり、該シート２２ｃと上記複数の壁面シート２２のうちの他のシート２２ｂとが隙間５５を形成して配置されたものであることがより好ましい（例えば図６参照）。
【００２１】
仮設用浄水風呂設備は、例えば学校のグラウンドや駐車場等に設置されることが想定されるが、該風呂設備が下水に向かう側溝に隣接して設置されるとは限らない。このため、風呂設備の浴室から溢れ出た排水が設置場所周辺を水浸しにすることがある。
【００２２】
この点において本発明では、上記の如く、壁面シートの下方部が下をＵ字状にして折り返されて溝が形成され、この溝に向かって開口した排水口２５や隙間５５が設けられているので、この折り返されたシート部分によるＵ字溝２７が排水溝となり、そして浴室の床面を流れる排水が、浴室内側の溝壁（浴室内側シート）２３に設けられた上記排水口２５、或いは上記隙間５５を通して上記排水溝（Ｕ字溝２７）に入る。こうして浴室からの排水が集められるので、風呂設備の設置場所周辺を水浸しにすることが防止される。なおこの様にして排水を集めると、ポンプで汲み上げて適切な場所に排水することが可能となる。或いは集めた排水について簡易な浄水等を行い、水洗トイレ用の流し水に用いることも可能である。
【００２３】
加えて本発明に係る仮設用浄水風呂設備において、前記浄化水導入ライン１９の上流側に、限外濾過部３３が接続され、この更に上流側に砂濾過部３４が接続されていることが好ましい。なお限外濾過部とは、限外濾過膜（ＵＦ（Ultrafiltration）膜）による膜濾過を行うものである。
【００２４】
原水を上記砂濾過部３４と上記限外濾過部３３という２段階の濾過部を経由させることによって、たとえ原水が濁水であっても高品質な水（湯）を浴槽１１や個別給水栓１２に供給可能となる。また限外濾過部３３は閉塞し易いが、先に砂濾過部３４が或る程度汚染物質を補足するので、限外濾過部３３への負荷が低減され、早期に閉塞することが防止される。
【００２５】
更に本発明に係る仮設用浄水風呂設備において、それぞれ前記限外濾過部３３及び前記砂濾過部３４には、逆洗用水導入ラインと殺菌剤注入ラインが接続されていることが好ましい。
【００２６】
これによれば、限外濾過部３３や砂濾過部３４が閉塞した場合に、逆洗用水導入ラインから水を供給すると共に殺菌剤注入ラインから殺菌剤を注入することにより、固体の汚染物質を押し出しつつ殺菌することができる。なお限外濾過部３３と砂濾過部３４は上述の通り直列に接続されているところ、仮に下流側の限外濾過部３３のみに逆洗用水導入ラインと殺菌剤注入ラインを設け、限外濾過部３３から砂濾過部３４に向けて一度に両方を逆洗再生する様にすると、限外濾過部３３を洗浄した汚染水により、砂濾過部３４の下流側（砂濾過済み液が排出される側）が汚染される懸念がある。このため限外濾過部３３にも逆洗水排出ラインを設け、限外濾過部３３、砂濾過部３４を、それぞれに設けられた逆洗用水導入ラインと殺菌剤注入ラインから別々に逆洗再生することが好ましい。
【００２７】
本発明の仮設用浄水風呂設備の使用法としては、系外から供給される浄化水を、並列に設けられた複数の給湯器１５（１５ａ，１５ｂ，１５ｃ）を介して浴槽１１に給湯する湯張り手段と、前記浴槽１１内の温湯を、浄化装置１４及び前記複数の給湯器のうちの一部の給湯器１５ａを介して前記浴槽１１内に循環させる循環手段と、前記系外から供給される浄化水を、前記複数の給湯器のうちの残りの給湯器１５ｂ，１５ｃを介して個別給水栓１２に給湯する個別給湯手段と、前記浴槽１１内の温湯を、浄化装置１４を介して系外に放出する放出手段とを備える様にすると良い。
【００２８】
始めに浴槽１１に湯を張るときは、浴槽１１の容量分の給湯を行うことになるので、給湯器の容量が小さいと、湯を張り終えるまでに時間が長くかかるが、上記の様に複数の給湯器１５ａ，１５ｂ，１５ｃの全てにより浴槽１１に給湯することで（湯張り手段）、湯張りを短時間で終えることができる。
【００２９】
浴槽１１に湯を張り終えた後の風呂使用時においては、上記複数の給湯器１５ａ，１５ｂ，１５ｃを振り分け、上記の如くその一部の給湯器１５ａを循環ループに組み入れ、浴槽１１の湯を浄水装置１４で浄化しつつ追い炊きする（循環手段）。これにより、浴槽１１の湯温低下を防止できると共に、湯を清潔に保つことができ、且つ流し捨てせずに貴重な水の有効利用を図ることができる。湯張りを終えた後は、浴槽１１に対して大きな給湯能力は必要ないので、上記の様に一部の給湯器１５ａのみであっても十分に追い炊きが可能である。一方、残りの給湯器１５ｂ，１５ｃについては、シャワーやカランといった個別給水栓１２に湯を供給するために用いることで（個別給湯手段）、十分な洗い湯が確保できる。
【００３０】
また風呂の使用を終えた後は、浴槽１１内の温湯を浄化装置１４を介して系外に放出可能とすることで（放出手段）、残り湯を例えば洗濯用水といった中水として用いることができ、水の有効利用を図ることができる。
【００３１】
この様に湯張り手段、循環手段及び個別給湯手段、放出手段を切り換え、必要なときに必要に応じた給湯を行うことにより、仮設用浄水風呂設備を比較的コンパクトにしつつも、多人数用の大型風呂として稼動することができ、また貴重な水を有効に利用することができる。
【００３２】
なお上述の様に「一部の給湯器」の台数、「残りの給湯器」の台数について特に制限はないが、「一部の給湯器」を１台とし、「残りの給湯器」を複数台とする態様がより好ましい。循環ループにより浴槽の湯を追い炊きする際にはあまり高い給湯能力は必要とされないことから、１台で賄うことができると考えられ、一方、個別給水栓への給湯量としては、利用者の湯の使用状況により大きく変動することから、これを許容できるようにする為、複数台とするのが望ましいのである。
【発明の効果】
【００３３】
本発明に係る仮設用浄水風呂設備によれば、小型の給湯器を複数使用し、それぞれの給湯器を役割分担させると共に、浄化装置に接続するのは特定の給湯器のみとしているので、浄化機能を備えた多人数用の風呂設備でありながらも、比較的コンパクトであり、既存の輸送機や輸送車輌を用いて輸送することが可能となる。
【発明を実施するための最良の形態】
【００３４】
図１は本発明の一実施形態に係る仮設用浄水風呂設備１０を示すブロック構成図である。図２はこの仮設用浄水風呂設備１０に浄水装置３０，５０を付加した場合の全体構成図であり、付帯設備（貯水槽１３、水源）も併せて示している。
【００３５】
仮設用浄水風呂設備１０は浴室テントハウス２００と給湯装置部分１００を備える。
【００３６】
図１に示すように、給湯装置部分１００には水の浄化装置１４が１台と、３台の給湯器１５ａ，１５ｂ，１５ｃ（図２ではこれら３台の給湯器を合わせて符号１５で表している）が備えられている。浄化装置１４には砂濾過器が備えられ、この砂濾過器は６m3/hの濾過能力を有する。給湯器１５ａ，１５ｂ，１５ｃはそれぞれ50,000kcal/hの給湯出力を有する。また給湯器１５ａ，１５ｂ，１５ｃには加熱燃料を供給するための灯油タンク４５が接続されている。これら浄化装置１４や給湯器１５ａ，１５ｂ，１５ｃの個々のサイズはいずれも高さが１６００ｍｍ以下、長さが２８００ｍｍ以下、幅が１６００ｍｍ以下、質量が１５００ｋｇ以下である。
【００３７】
系外には容量１０m3の貯水槽１３が備えられており、この貯水槽１３に蓄えられた浄化水を浄化水導入ライン１９（１９ａ，１９ｂ，１９ｃ，１９ｄ）を通じ、送水ポンプ４６によって各給湯器１５ａ，１５ｂ，１５ｃに供給できるようになっている。なお貯水槽１３に接続された浄化水導入ライン１９ｄは浄化水導入ライン１９ａ，１９ｂ，１９ｃに分岐し、それぞれ給湯器１５ａ，１５ｂ，１５ｃに接続されている。またこの分岐する上流側には更に分岐ライン１９ｅが形成されており、貯水槽１３の浄化水を飲料ヘッダーに供給できるようにもなっている。
【００３８】
３台の給湯器のうちの１台である給湯器１５ａの出側には第１の給湯ライン１８が接続され、浴室テントハウス２００の浴槽１１に温湯を供給できるようになっている。残りの２台の給湯器１５ｂ，１５ｃの出側には第２の給湯ライン２１が接続され、浴室テントハウス２００の浴槽１１或いは個別給水栓１２に切替可能に温湯を供給できるようになっている。この切替は浴槽１１側への給湯を制御する手動ストップ弁２１ａによって行われる。なお個別給水栓１２側においては手動三方弁２１ｂによってシャワー１２ａとカラン１２ｂに切替可能となっている。
【００３９】
浄化装置１４の入側には浴槽１１からの浴槽水導入ライン１６が接続され、浴槽１１内の湯（水）を循環ポンプ４１によって浄化装置１４に導入できるようになっている。なお浴槽水導入ライン１６にはエアキャッチャ４２が接続されており、湯に含有された気泡（空気）を除去できるようになっている。
【００４０】
浄化装置１４の出側には浄水導出ライン１７が接続され、上記３台の給湯器のうちの１台である給湯器１５ａに、浄化装置１４で浄化された水を供給できるようになっている。なおこの浄水導出ライン１７と上記浄化水導入ライン１９ａは給湯器１５ａの入側部近傍で合流して給湯器１５ａに接続される構成となっている。浄水導出ライン１７と上記浄化水導入ライン１９ａのいずれのラインから水を給湯器１５ａに供給するかは、バルブ４３ａ，４３ｂで制御できるようになっている。
【００４１】
また浄水導出ライン１７には放出ライン４９が分岐して設けられており、浄化装置１４で浄化した浴槽水を中水として洗濯等に用いることができるようになっている。
【００４２】
上述の様に給湯器１５ａからの湯は第１の給湯ライン１８によって浴槽１１に供給されるが、第１の給湯ライン１８には薬液タンク４４が接続され、次亜塩素酸ソーダ等の薬液を湯に添加できるようになっている。因みに厚生労働省の「公衆浴場における衛生等管理要領」によって、公衆浴場での浴槽内の湯に所定量の塩素を含有させる旨が規定されているので、これに適合させるに際して上記薬液タンク４４から適宜薬液を添加すると良い。
【００４３】
なお上述から分かるように３台の給湯器１５ａ，１５ｂ，１５ｃは並列に接続されて、浴槽１１や個別給水栓１２に給湯するようになっている。
【００４４】
また給湯装置部分１００には発電機４７が備えられており、上記の各種ポンプや給湯器１５，浄化装置１４の駆動のための電気を供給できるようになっている。なお発電機４７には動力制御盤４８が接続されている。また発電機４７は浴室テントハウス２００における照明等や、下述の浄水装置３０への電源供給手段としても利用できるようになっている。
【００４５】
図２に示すように、貯水槽１３には浄水装置３０からの浄水を導く上流側浄化水導入ライン３５が接続されている。なお浄水装置３０からの浄水を、貯水槽１３を経由させずに浄水導入ライン１９から給湯器１５に導入するようにしても良い。
【００４６】
浄水装置３０には砂濾過部３４と限外濾過部３３が設けられており、河川や池、プール等の水（原水）を導入して浄化する様になっている。なお限外濾過部３３は限外濾過膜（ＵＦ膜）を備え、これにより膜濾過を行うものである。浄水装置３０では、上流側（原水側）から砂濾過部３４、限外濾過部３３の順に直列に接続されており、斯様に２段階で浄化することで高品質な水の提供ができるようになっている。
【００４７】
加えて浄水装置３０には、逆洗用水導入ライン（図示せず）と殺菌剤注入ライン（図示せず）が接続されており、適宜逆洗再生及び殺菌ができるようになっている。
【００４８】
更に浄水装置３０の下流側に、逆浸透膜（ＲＯ（Reverse Osmosis）膜）による浄水装置５０を接続し、この浄水装置５０で浄化した水を給湯器１５に供給するようにしても良い。ＲＯ膜による浄水装置５０によれば、例えば原水が海水の場合も淡水化した浄水を提供することができる。
【００４９】
なお図２に示すように灯油タンク４５を除く給湯装置部分１００を１つの台車に乗せ、容易に移動可能となるように構成しても良い。また浄水装置３０，５０もそれぞれ台車上に配置し、容易に移動可能となるようにしても良い。
【００５０】
次に、本実施形態の仮設用浄水風呂設備１０における浴室テントハウス２００の構成について説明する。
【００５１】
図３は仮設用浄水風呂設備１０における浴室テントハウス２００の一例を表す断面図であり、図４はこの浴室テントハウス２００における側壁の下方部分を表す一部切り欠き斜視図であって、洗い場内から見た様子である。また図５の（ａ）は図４に示すＤ−Ｄ線断面の端面図である。
【００５２】
浴室テントハウス２００は、その内部が洗い場と脱衣場に分けられており、洗い場には浴槽１１（例えば容量3.7m3）と複数の個別給水栓１２（シャワー１２ａやカラン１２ｂ）（図３においては図示せず、図１参照）が備えられている。浴槽１１はパイプフレームに防水シートを張って浴槽形状としたものである。
【００５３】
図３に示すように、浴室テントハウス２００における床部分にはパレット３１が敷き詰められ、浴室の床面２６ａが地面（ＧＬ）より１段高くなっている。
【００５４】
浴室テントハウス２００の外郭である浴室テントは、金属製の支柱３２に浴室用テントシート２０が張られたものである。この浴室用テントシート２０は天井シート２８と壁面シート２２、及び床面シート２６からなる。床面シート２６はその端部２６ｅで壁面シート２２に隙間なく接続され、この接続部分から水漏れが生じないようになっている。
【００５５】
壁面シート２２の端部にはフック２４が取り付けられており、このフック２４を横支柱３２ａ（床面２６ａより上方に位置する）に引っ掛けて、壁面シート２２の下方部を内側に向けてＵ字状に折り返し、Ｕ字溝２７を形作る様になっている。このＵ字溝２７はパレット３１よりも外側に位置し、これにより浴室の床面２６ａよりもＵ字溝の底２７ｃが低く位置するものとなっている。更に図４に示すように、Ｕ字溝２７の底２７ｃには横支柱３２ａに沿って傾斜が設けられている。なおこの傾斜はシートの折返し長さを調節することにより形成される。
【００５６】
Ｕ字溝２７を構成するシート（壁面シート２２の下方部）における浴室内側の溝壁２３には、排水口２５が設けられている。この排水口２５はその開口下端が浴室の床面２６ａの高さとなるように形成されている。
【００５７】
次に上記仮設用浄水風呂設備１０の使用時について説明する。
【００５８】
まず給湯装置部分１００の動作について説明する。
【００５９】
始めに浴槽１１に湯を張る際は、貯水槽１３から供給された浄化水を用い、上記３台の給湯器１５ａ，１５ｂ，１５ｃの全て（第１，２の給湯ライン１８，２１）から浴槽１１に給湯する（湯張り手段）。１つ１つの給湯器は容量が小さいものであるが、３台全てを用いて給湯することにより浴槽１１への湯張りを短時間で終えることが可能となる。
【００６０】
浴槽１１に湯を張り終えて人が入浴するときには、浴槽水導入ライン１６，浄化装置１４，給湯器１５ａ，第１の給湯ライン１８で形成される循環ループによって、浴槽１１の湯を浄化、追い炊きしつつ循環させるので（循環手段）、貴重な水を無駄にすることなく利用できる。またこの循環においては、給湯能力は小さいもので良いから、１台の給湯器１５ａのみであっても十分に追い炊き給湯を果たし得る。なお浴槽１１の湯が減ったときには、適宜浄化水導入ライン１９ａより浄化水を給湯器１５ａに導入して、浴槽１１に供給すると良い。他方、洗い場でのシャワー１２ａやカラン１２ｂへの給湯は、残りの給湯器１５ｂ，１５ｃ（第２の給湯ライン２１）から行うことで（個別給湯手段）、洗い湯が確保される。
【００６１】
風呂の使用後は、浴槽１１内の残り湯を浴槽水導入ライン１６から浄化装置１４を介して放出ライン１４から系外に導出できるので（放出手段）、浄化装置１４で浄化した浴槽水を洗濯用水等として利用することもできる。
【００６２】
また貯水槽１３に十分な量の浄化水がない場合等においては、その上流側に配置された浄水装置３０によって河川等の原水を浄化して、貯水槽１３に供給すると良い。また貯水槽１３を経由せずに、浄水装置３０から浄化水導入ライン１９より給湯器１５ａ，１５ｂ，１５ｃに供給するようにしても良い。
【００６３】
以上のように本実施形態の仮設用浄水風呂設備１０によれば、全ての前記給湯器１５ａ，１５ｂ，１５ｃから前記第１，第２の給湯ラインを経て前記浴槽１１に給湯する場合（湯張り手段）と、前記浴槽１１内の水を前記浄化装置１４及び前記一部の給湯器１５ａを経て循環させると共に、給湯器１５ｂ，１５ｃから個別給水栓１２に給湯する場合（循環手段、個別給湯手段）に切替可能であるので、場面に応じて切り替えて使用することにより、複数の給湯器１５としてはそれぞれ比較的小型のものでありながらも、十分に多人数用の風呂に対応できる。例えば本実施形態では３４人／時間程度の入浴人数が試算される。
【００６４】
次に、風呂使用時における浴室テントハウス２００について、図３，４を参照しつつ述べる。
【００６５】
洗い場では、浴槽１１から溢れた湯や、個別給水栓１２（シャワー１２ａ、カラン１２ｂ）からの湯が床面シート２６上に流れることになるが、この余分な湯は、壁面シート２２における浴室内側溝壁２３の排水口２５からＵ字溝２７内に流れる（図４に示す矢印Ａ）。そしてこのＵ字溝２７内の排水（湯）はＵ字溝２７の傾斜に沿って流れて集められ（図４に示す矢印Ｂ）、汲み上げポンプ等を用いて適切な排水場所に送水される。従って仮設用浄水風呂設備の浴室テントハウス２００の設置場所周辺が水浸しにならない。
【００６６】
次に仮設用浄水風呂設備１０の輸送時について述べる。
【００６７】
上述の様に給湯器１５ａ，１５ｂ，１５ｃはいずれも小型であるので、その配置を工夫することで、例えば荷室が高さ１９４０ｍｍ×幅２４００ｍｍ×長さ８０００ｍｍの輸送ヘリコプターに搭載可能なサイズにすることができる。具体的には上記荷室サイズの輸送ヘリコプターを３機用い、このうちの１機には上記小型給湯器１５ｂ，１５ｃの２台積み込み、他の１機に上記小型給湯器１５ａと浄化装置１４を積み込み、残りの１機に浴室テントハウス２００の各部材を積み込むと良い。
【００６８】
なお上記の様に輸送ヘリコプター１機に対し小型給湯器等を２台積み込んだ場合でも、輸送ヘリコプターの荷室に余裕スペースができるので、積み荷の固定スペース（積み荷をワイヤーで固定するためのスペース）や搭乗員の作業スペースが確保され、輸送作業が円滑に行える。また浴室テントハウス２００の各部材については、支柱３２や個別給水栓１２を分解し、テントシート２０や浴槽１１を折り畳むことで、コンパクト化することができる。この浴室テントハウス２００の各部材を、給湯器１５ａ，１５ｂ，１５ｃや浄化装置１４を積み込む輸送ヘリコプターの空きスペースに積み込むようにしても良い。
【００６９】
因みに上記複数の小型給湯器１５ａ，１５ｂ，１５ｃを総合した給湯能力と同程度の給湯能力を有する１台の大型給湯器の場合では、サイズが大きすぎて、上記荷室サイズの輸送ヘリコプターに搭載することができない。これに対して本実施形態では上述の通り上記荷室サイズの輸送ヘリコプターに搭載できるので、風呂設備の被災地等への輸送において便利である。
【００７０】
以上のように本発明に係る仮設用浄水風呂設備に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００７１】
例えば図５（ｂ）に示すように、壁面シート２２の下方部を外側に向けてＵ字状に折り返してＵ字溝を形作っても良い。
【００７２】
或いは上記実施形態や図５（ｂ）に示す例では、壁面シート２２が一連のシートであったが、図５（ｃ）に示すように、壁面シートの上方部６１と下方部６２を切り離して構成したものであっても良い。
【００７３】
また図５（ｄ）に示すように、壁面シート２２の下方部を内側に折り返してＵ字溝を形成し、更に折り返して袋状の浴室内側溝壁２３としても良い。この場合は溝壁２３に支柱通し孔を設けて、溝壁２３における袋内に支柱３２を通すようにできる。なおこの態様においては、排水口２５の開口縁をしっかりと接合し、上記袋内に水が入らないようにする。
【００７４】
加えて上記実施形態では、浴室床面上の余分な湯を、壁面シートに形成された孔（排水口２５）を通してＵ字溝２７に排水する構成であったが、本発明はこれに限るものではなく、例えば図６に示すように、壁面のシート２２ｃとシート２２ｂとにより形成された隙間５５を通してＵ字溝２７に排水する様に構成したものであっても良い。
【００７５】
以下にこの態様について詳しく説明する。
【００７６】
図６の（ａ）はこの態様における浴室テントハウスの側壁の下方部分を表す切り欠き斜視図であり、（ｂ）は（ａ）に示すＥ−Ｅ線断面の端面図である。
【００７７】
壁面シート２２はその下方部分が、壁本体シート２２ａ及び溝形成シート２２ｃ、溝覆いシート２２ｂにより構成されている。床面シート２６はその端部２６ｅにて溝形成シート２２ｃの一方端２２ｃ1に溶着され、床面シート２６と溝形成シート２２ｃが連通したものとなっている。この溝形成シート２２ｃの他方端２２ｃ2にはフック２４が取り付けられており、このフック２４を横支柱３２ａ（床面２６ａより上方に位置する）に引っ掛けることで、溝形成シート２２ｃがＵ字状に折り返されてＵ字溝２７を形作っている。このＵ字溝２７はパレット３１よりも外側に位置し、これにより浴室の床面２６ａよりもＵ字溝の底２７ｃが低く位置するものとなっている。
【００７８】
一方、壁本体シート２２ａには溝覆いシート２２ｂの上端部分２２ｂ1が溶着され（溶着部２２ｄ）、下側が分離した状態になっている。これら壁本体シート２２ａと溝覆いシート２２ｂの間に、上記横支柱３２ａ及び溝形成シート２２ｃの他方端２２ｃ2側が位置し、上記Ｕ字溝２７の内側に溝覆いシート２２ｂの下端部分２２ｂ2が垂れ下がっている。こうして溝覆いシート２２ｂと溝形成シート２２ｃの間に隙間５５が形成された状態となる。
【００７９】
床面シート２６上を流れる余分な湯は、上記隙間５５からＵ字溝２７内に流れ（矢印Ａ）、上記と同様に、Ｕ字溝２７内の排水（湯）はＵ字溝２７の傾斜に沿って流れて集められ（矢印Ｂ）、汲み上げポンプ等を用いて適切な排水場所に送水される。
【図面の簡単な説明】
【００８０】
【図１】本発明の一実施形態に係る仮設用浄水風呂設備を示すブロック構成図である。
【図２】図１に示す実施形態の仮設用浄水風呂設備に浄水装置を付加した場合の全体構成図である。
【図３】本発明の一実施形態に係る仮設用浄水風呂設備における浴室テントハウスの一例を表す断面図である。
【図４】図３に示す浴室テントハウスにおける側壁の下方部分を表す切り欠き斜視図である。
【図５】（ａ）は図４に示すＤ−Ｄ線断面の端面図であり、（ｂ）〜（ｄ）はＵ字溝の形成態様についての他の例を表す端面図（図４に示すＤ−Ｄ線断面に対応する箇所の端面図）である。
【図６】（ａ）は本発明の他の実施形態における浴室テントハウスの側壁の下方部分を表す切り欠き斜視図であり、（ｂ）は（ａ）に示すＥ−Ｅ線断面の端面図である。
【符号の説明】
【００８１】
１０  仮設用浄水風呂設備
１１  浴槽
１２  個別給水栓
１２ａ  シャワー
１２ｂ  カラン
１３  貯水槽
１４  浄化装置
１５，１５ａ，１５ｂ，１５ｃ  給湯器
１６  浴槽水導入ライン
１７  浄水導出ライン
１８  第１の給湯ライン
１９，１９ａ，１９ｂ，１９ｃ，１９ｄ  浄化水導入ライン
１９ｅ  分岐ライン
２１  第２の給湯ライン
２２  壁面シート
２３  浴室内側の溝壁
２４  フック
２５  排水口
２６ａ  床面
２７  Ｕ字溝
２７ｃ  底
３０，５０  浄水装置
３１  パレット
３３  限外濾過部
３４  砂濾過部
５５  隙間
１００  給湯装置部分
２００  浴室テントハウス
【図１】
0005198160.tif 000002
【図２】
0005198160.tif 000003
【図３】
0005198160.tif 000004
【図４】
0005198160.tif 000005
【図５】
0005198160.tif 000006
【図６】
0005198160.tif 000007